(57)【要約】  本発明は、プッシュプル型コンバータの昇圧コンバータモードを変調する方法に関する。プッシュプル型コンバータは、低電圧側の第１切換装置と低電圧側の第２切換装置とを備える低電圧側回路；高電圧側のコイルを備えるトランスフォーマ；および、フルブリッジ整流器として設計されており、第１ハーフブリッジを形成する第１整流要素および第２整流要素ならびに第２ハーフブリッジを形成する第３整流要素および第４整流要素を備える高電圧側回路を備え；方法は、第１時間区分において第１整流要素または第４整流要素を介して高電圧側のコイルを短絡させるのと同時に低電圧側の第１切換装置を閉じるステップ；第２時間区分において、高電圧側のコイルを短絡させるために使用された整流要素を開くステップ；第３時間区分において第２ハーフブリッジの第３整流要素または第４整流要素を介して高電圧側のコイルを短絡させるのと同時に低電圧側の第１切換装置を開き、低電圧側の第２切換装置を閉じるステップ；および、第４時間区分において高電圧側のコイルを短絡させるために使用された整流要素を開くステップを含む。
2017509306.tif 000002
【特許請求の範囲】
【請求項１】
プッシュプル型コンバータ（１０）の昇圧コンバータモードを変調する方法において、
プッシュプル型コンバータ（１０）が、
低電圧側に印加された直流電圧（５）を低電圧側の交流電圧に変換するように設計されており、低電圧側の第１切換装置（２５ａ）と、低電圧側の第２切換装置（２６ａ）と、チョーク（４）とを備える低電圧側回路（２９）；
低電圧側のコイルおよび高電圧側のコイルを備え、低電圧側の交流電圧を低電圧側のコイルで受信し、高電圧側の交流電圧を高電圧側のコイルで生成するように設計されたトランスフォーマ（２）；および
高電圧側の交流電圧を高電圧側の直流電圧（１）に変換するためにフルブリッジ整流器として設計された高電圧側回路（２０）であって、第１ハーフブリッジを形成する第１整流要素（２１）および第２整流要素（２２）と、第２ハーフブリッジを形成する第３整流要素（２３）および第４整流要素（３４）を備える高電圧側回路（２０）
を備え；
少なくとも第１整流要素（２１）または第４整流要素（２４）が切換装置として形成されており、少なくとも第２整流要素（２２）または第３整流要素（２３）が切換装置として形成されており；
前記方法が、
変調サイクルの第１時間区分（［０，ｔ１］）において第１整流要素（２１）または第４整流要素（２４）を介して高電圧側のコイルを短絡させるのと同時に、トランスフォーマ（２）において第１電圧を生成し、トランスフォーマ（２）およびチョーク（４）にエネルギーを供給するために低電圧側の第１切換装置（２５ａ）を閉じるステップ；
変調サイクルの第２時間区分（［ｔ１，ｔ２］）において高電圧側の直流電圧（１）を生成するために、高電圧側のコイルを短絡させるために使用された整流要素（２１，２４）を開くステップ；
変調サイクルの第３時間区分（［ｔ２，ｔ３］）において第２ハーフブリッジの第２整流要素（２２）または第３整流要素（２３）を介して高電圧側のコイルを短絡させるのと同時に、トランスフォーマ（２）において第１電圧とは反対の極性を備える第２電圧を生成するために、低電圧側の第１切換装置（２５ａ）を開き、低電圧側の第２切換装置（２６ａ）を閉じるステップ；および
変調サイクルの第４時間区分（［ｔ３，ｔ４］）において高電圧側の直流電圧（１）を生成するために、高電圧側のコイルを短絡させるために使用された整流要素（２２，２３）を開くステップを含む、プッシュプル型コンバータ（１０）の昇圧コンバータモードを変調する方法。
【請求項２】
請求項１に記載の方法において、
前記低電圧側回路（２９）を、前記低電圧側の第１切換装置（２５ａ）、前記低電圧側の第２切換装置（２６ａ）、および前記チョーク（４）からなるセンタータップ式回路として形成する方法。
【請求項３】
請求項１に記載の方法において、
さらに低電圧側の第３切換装置（２５ｂ）および低電圧側の第４切換装置（２６ｂ）を含み、前記低電圧側の第１切換装置（２５ａ）、前記低電圧側の第２切換装置（２６ａ）、低電圧側の第３切換装置（２５ｂ）、低電圧側の第４切換装置（２６ｂ）、およびチョーク（４）からなるフルブリッジ回路として前記低電圧側回路（２９）を形成し、
前記低電圧側の第１切換装置（２５ａ）の開閉には、それぞれ前記低電圧側の第４切換装置（２６ｂ）の同時的な開閉が伴い、前記低電圧側の第２切換装置（２６ａ）の開閉にはそれぞれ前記低電圧側の第３切換装置（２５ｂ）の同時的な開閉が伴う方法。
【請求項４】
請求項１から３までのいずれか一項に記載の方法において、
低電圧側および高電圧側の切換装置（２１，２２，２３，２４，２５ａ，２５ｂ，２６ａ，２６ｂ）が、ＭＯＳＦＥＴ（３１）、ＩＧＢＴ（３１）、ＪＦＥＴ（３１）、および／またはＢＪＴ（３１）を含む方法。
【請求項５】
請求項４に記載の方法において、
低電圧側および／または高電圧側の切換装置（２１，２２，２３，２４，２５ａ，２５ｂ，２６ａ，２６ｂ）を同期整流器として形成する方法。
【請求項６】
請求項１から５までのいずれか一項に記載の方法において、
低電圧側および／または高電圧側の切換装置（２１，２２，２３，２４，２５ａ，２５ｂ，２６ａ，２６ｂ）に、それぞれ逆平行のダイオード（４１）を設ける方法。
【請求項７】
請求項１から６までのいずれか一項に記載の方法において、
高電圧側の整流要素（２１，２２，２３，２４）を切換装置として形成し、連続する変調サイクルの第１時間区分（［０，ｔ１］において第１整流要素（２１）および第４整流要素（２４）を使用し、第３時間区分［ｔ２，ｔ３］において第２整流要素（２２）および第３整流要素（２３）を使用し、それぞれ交互に高電圧側のコイルを短絡させる方法。
【発明の詳細な説明】
【技術分野】
【０００１】
本発明は、プッシュプル型コンバータの昇圧コンバータモードを変調する方法に関する。特に、本発明は双方向のプッシュプル型コンバータの昇圧コンバータモードを変調する方法に関する。
【背景技術】
【０００２】
双方向のプッシュプル型コンバータに基づいて本発明および本発明の基礎をなす課題を説明するが、本発明は、昇圧コンバータモードが設けられている他の任意のプッシュプル型コンバータにおいても使用可能である。
【０００３】
一般に双方向の直流電圧コンバータは、電気エネルギーが２方向に伝送されることが望ましい場所に使用される。したがって、双方向の直流電圧コンバータは、ハイブリッド電気自動車においてエネルギーを高電圧網から低電圧網へ、およびその逆方向に伝送する役割を果たす。例えば、降圧コンバータモードにおいて直流電圧コンバータを用いて１２Ｖの電池を充電することができ、これに対して、必要に応じて補助エネルギー蓄積システムを充電もしくは作動するために短期的に数百Ｖの出力が必要とされる場合に（例えば始動プロセスにおいて）昇圧コンバータモードを使用することができる。使用分野に応じて、直流電圧コンバータにおいて高電圧側と低電圧側との間のガルバニック分離が要求され、直流電圧コンバータをプッシュプル型コンバータとして実施することが有利になることもある。
【０００４】
刊行物、「Nene H., "Digital Control of a Bi-Directional DC-DC Converter for Automotive Applications", Applied Power Electronics Conference and Exposition (APEC), Long Beach (CA), USA, 17-21 March, 2013 (doi: 10.1109/APEC.2013.6520476)」は、高電圧側でフルブリッジ回路が実施されており、低電圧側でセンタータップが実施されている双方向のプッシュプル型コンバータについて記載している。さらに、高電圧側には、トランスフォーマを通る電流を測定するために形成された電流センサ装置が設けられている。降圧コンバータモードでは、プッシュプル型コンバータを制御するための変調方式として、いわゆる「位相シフト法」が使用される。昇圧コンバータモードでは、高電圧側では一時的に電流が流れない方法が用いられる。
【０００５】
制御式の昇圧コンバータモードでは、従来では低電圧側回路において付加的な電流センサ装置が必要とされる。したがって、低電圧側回路のコスト高な構成が不可欠となる。
【発明の概要】
【０００６】
本発明は、プッシュプル型コンバータの昇圧コンバータモードを変調する方法において、
低電圧側に印加された直流電圧を低電圧側の交流電圧に変換するように設計されており、低電圧側の第１切換装置と、低電圧側の第２切換装置と、チョークとを備える低電圧側回路；
低電圧側のコイルおよび高電圧側のコイルを備え、低電圧側の交流電圧を低電圧側のコイルで受信し、高電圧側の交流電圧を高電圧側のコイルで生成するように設計されたトランスフォーマ；および
高電圧側の交流電圧を高電圧側の直流電圧に変換するためにフルブリッジ整流器として設計された高電圧側の回路であって、第１ハーフブリッジを形成する第１整流要素および第２整流要素ならびに第２ハーフブリッジを形成する第３整流要素および第４整流要素を備える高電圧側の回路
を備え；
少なくとも第１整流要素または第４整流要素が切換装置として形成されており、少なくとも第２整流要素または第３整流要素が切換装置として形成されており；
方法が、
変調サイクルの第１時間区分において第１整流要素または第４整流要素を介して高電圧側のコイルを短絡させるのと同時に、トランスフォーマにおいて第１電圧を生成し、トランスフォーマおよびチョークにエネルギーを供給するために低電圧側の第１切換装置を閉じるステップ；
変調サイクルの第２時間区分において高電圧側の直流電圧を生成するために、高電圧側のコイルを短絡させるために使用された整流要素を開くステップ；
変調サイクルの第３時間区分において第２ハーフブリッジの第２整流要素または第３整流要素を介して高電圧側のコイルを短絡させるのと同時に、トランスフォーマにおいて第１電圧とは反対の極性を備える第２電圧を生成するために低電圧側の第１切換装置を開き、低電圧側の第２切換装置を閉じるステップ；および
変調サイクルの第４時間区分において高電圧側の直流電圧を生成するために高電圧側のコイルを短絡させるために使用された整流要素を開くステップを含む。
【発明の利点】
【０００７】
本発明の着想は、プッシュプル型コンバータの昇圧コンバータモードを変調する方法において、低電圧側の電流センサ装置を不可欠とすることなしに、制御された作動を可能にする方法を形成することである。この場合、電流測定は高電圧側に設けられた電流センサ装置によって行われる。この方法は、昇圧コンバータモードにおいて、高電圧側の切換装置における出力もしくは電流を付加的に制御するために役立つ。電圧は、トランスフォーマの高電圧側のコイルおよび低電圧側のコイルの両方を通って常に流れ、個々の電流センサ装置によって常に測定もしくは制御することができる。本発明による解決方法の大きい利点は、付加的な電流センサ装置を低電圧側に手間をかけて組み込む必要なしに、昇圧コンバータモードにおいて従来のプッシュプル型コンバータを制御して作動することができることである。
【０００８】
好ましい実施形態によれば、低電圧側回路は、低電圧側の第１切換装置、低電圧側の第２切換装置、およびチョークからなるセンタータップ式回路として形成されていてもよい。低電圧側回路のこの実施形態は、昇圧コンバータモードにおいてプッシュプル型コンバータを制御するために使用可能な切換装置を簡単に実現している。
【０００９】
代替的な好ましい実施形態によれば、低電圧側回路は、さらに低電圧側の第３切換装置および低電圧側の第４切換装置を含む。さらに、低電圧側回路は、低電圧側の第１切換装置、低電圧側の第２切換装置、低電圧側の第３切換装置、低電圧側の第４切換装置、およびチョークからなるフルブリッジ回路として形成されていてもよい。さらに低電圧側の第１切換装置の開閉には、それぞれ低電圧側の第４切換装置の同時的な開閉が伴い、低電圧側の第２切換装置の開閉にはそれぞれ低電圧側の第３切換装置の同時的な開閉が伴う。低電圧側回路のこの実施形態は、昇圧コンバータモードでプッシュプル型コンバータを制御するために利用できる切換装置を代替的に実現している。
【００１０】
好ましくは、低電圧側および高電圧側の切換装置は、ＭＯＳＦＥＴ（金属酸化膜半導体電界効果トランジスタ）、ＩＧＢＴ（絶縁ゲートバイポーラトランジスタ）、ＪＦＥＴ（接合型電界効果トランジスタ）、および／またはＢＪＴ（バイポーラ接合トランジスタ）、あるいは他の適宜な半導体スイッチを含んでいてもよい。したがって、切換装置は、有利には能動的に切換可能であり、個々の半導体基板に大量に組み込み可能な小型の半導体構成要素を含む。
【００１１】
さらに、低電圧側および／または高電圧側の切換装置は、好ましくは同期整流器として形成されていてもよい。同期整流器は、整流のための簡易は可能性であり、例えば、付加的なダイオードは不可欠ではない。
【００１２】
好ましい実施形態によれば、低電圧側および高電圧側の切換装置には、それぞれダイオードが逆平行に接続されていてもよい。この実施形態では、ダイオードを整流のために利用することができ、切換装置は同期整流器として形成されていなくてもよい。
【００１３】
好ましい実施形態によれば、高電圧側の整流要素は切換装置として形成されていてもよい。さらに、連続する変調サイクルの第１時間区分においては第１整流要素および第４整流要素を、第３時間区分においては第２整流要素および第３整流要素を、高電圧側のコイルを短絡させるためにそれぞれ交互に利用してもよい。
【００１４】
次に図面に関連した実施形態に基づいて本発明の他の特徴および利点を説明する。
【図面の簡単な説明】
【００１５】
【図１】例示的な双方向プッシュプル型コンバータを示す概略図である。
【図２ａ】双方向プッシュプル型コンバータの昇圧コンバータモードを変調する例示的な方法における制御信号の経時変化を示す線図である。
【図２ｂ】本発明の一実施形態による双方向プッシュプル型コンバータの昇圧コンバータモードを変調する方法における制御信号の経時変化を示す線図である。
【図３】他の例示的な双方向プッシュプル型コンバータを示す概略図である。
【図４】本発明の別の実施形態による双方向プッシュプル型コンバータの昇圧コンバータモードを変調する方法における制御信号の経時変化を示す線図である。
【発明を実施するための形態】
【００１６】
図面において、同じ符号は同じもしくは機能的に同じ部材を示す。
【００１７】
図１は、例示的な双方向プッシュプル型コンバータの概略図を示す。
【００１８】
図１においては符号１０によりプッシュプル型コンバータが示されている。この場合、高電圧側回路２０には、切換装置２１，２２，２３，２４からなるフルブリッジ回路が実現されている。低電圧側回路２９は切換装置２５ａ，２６ａおよびチョーク４からなるセンタータップ式回路として構成されている。さらに、高電圧側回路２０と低電圧側回路２９とはトランスフォーマ２を介してガルバニック絶縁されて互いに接続されている。高電圧側回路２０の内部には、トランスフォーマ２によって電流を測定するために形成された電流センサ装置３が設けられている。切換装置２１，２２，２３，２４，２５ａ，２６ｂは、それぞれトランジスタ３１およびダイオード４１を含む。高電圧側回路２０では直流電圧１が印加可能もしくは測定可能であり、低電圧側では対応して直流電圧５が印加可能もしくは測定可能である。
【００１９】
降圧コンバータモードにおいて、高電圧側回路２０は、位相シフト方法に基づいて切換装置２１，２２，２３，２４のトランジスタ３１を適宜に周期的に切り換えることにより、トランスフォーマ２を介して高電圧側に印加された直流電圧１を低電圧側回路２９に伝達し、低電圧側回路２９はこれに基づいて低電圧側の直流電圧５を準備する。この実施形態では、低電圧側回路２９のダイオードはセンタータップ型整流器としての役割を果たす。
【００２０】
昇圧コンバータモードにおいて、高電圧側では一時的に電流が流れない方法を使用することもできる。この場合、低電圧側回路２９の切換装置２５ａ，２６ａのトランジスタ３１のみが接続され（プッシュプル型コンバータ１０の並列給電）、高電圧側回路２０では、切換装置２１，２２，２３，２４のダイオード４１がブリッジ整流器として使用される。図１に示したプッシュプル型コンバータ１０における制御式の昇圧コンバータモードのためには、プッシュプル型コンバータ１０を適宜に制御することができるように、常に電流を評価することができる方法もしくは切換装置が必要である。解決のためのアプローチは、低電圧側回路２９に電流センサ装置３を組み込むことである。このためには、手間をかけて定電低圧側回路を構成することが不可欠となる。
【００２１】
図２ａは、双方向プッシュプル型コンバータの昇圧コンバータモードを変調するための例示的な方法の制御信号の経時変化線図を示す。
【００２２】
図２ａに示された変調方法は、図１に示したプッシュプル型コンバータ１０を昇圧コンバータモードで制御するために用いられる。この場合、低電圧側回路２９の切換装置２５ａ，２６ａのトランジスタ３１がプッシュプル型コンバータ１０の並列給電を行うために接続される。高電圧側回路２０では、切換装置２１，２２，２３，２４のダイオード４１がブリッジ整流器として使用される。高電圧側の切換装置２１，２２，２３，２４のトランジスタ３１はこの方法では接続されない。図２ａには、切換装置２５ａ，２６ａの切換状態が時間の関数として示されている。両方の切換装置２５ａ，２６ａは、１８０°だけ互いに位相シフトされた状態でスイッチオンおよびオフされる。いずれか一方の切換装置２５ａ，２６ａが開かれている位相では、エネルギーは高電圧側の直流電圧源に供給され、そこで電流を誘導し、同時に低電圧側に印加された直流電圧５は高電圧側の直流電圧１に変換される。変調サイクルの第１時間区分［０，ｔ１］においては、２つの切換装置２５ａ，２６ａが電流を形成するために同時に閉じられており、エネルギーはチョーク４およびトランスフォーマ２に供給される。この時間区分においては、高電圧側の電流はゼロに等しい。変調サイクル第２時間区分［ｔ１，ｔ２］においては、切換装置２５ａは開かれており、切換装置２６ａは閉じられたままである。第３時間区分［ｔ２，ｔ３］においては、再び両方の切換装置２５ａ，２６ａが閉じられている。第４時間区分［ｔ３，ｔ４］においては、切換装置２５ａは閉じられたままであり、切換装置２６ａは開かれている。したがって、高電圧側では電流が一時的に流れない。
【００２３】
図２ｂは、本発明の一実施形態による双方向プッシュプル型コンバータ１０の昇圧コンバータモードを変調するための方法における制御信号の経時変化線図を示す。
【００２４】
図２ｂに示した変調方式も、図１に示したプッシュプル型コンバータ１０を昇圧コンバータモードで制御するために用いられる。しかしながら、図２ａの変調方式とは異なり、この変調方式では高電圧側で常に電流が流れる。図２ａと同様に、この場合にも低電圧側回路２９の切換装置２５ａ，２６ａのトランジスタ３１はプッシュプル型コンバータ１０の並列給電を行うために接続される。
【００２５】
さらに、この場合にも切換装置２１，２２，２３，２４のダイオード４１は高電圧側回路２０でブリッジ整流器として使用される。付加的に、図２ｂに示した方法では、高電圧側の切換装置２１，２２，２３，２４のそれぞれいずれか１つのトランジスタ３１が接続されている。変調サイクルの第１時間区分［０，ｔ１］においては、切換装置２５ａは閉じられており、切換装置２６ａは開かれている。これにより、トランスフォーマ２における第１電圧が準備され、エネルギーがトランスフォーマ２およびチョーク４に供給される。同時にこの第１時間区分［０，ｔ１］では、対角線上に配置された切換装置２１，２４の第１の高電圧側ペアの２つのトランジスタ３１のいずれかが接続される。これにより、トランスフォーマ２の高電圧側のコイルは短絡され、高電圧側回路２０では直流電圧１は生成されない。それにもかかわらず、高電圧側回路２０の電流は誘導され、特に電流センサ装置３を通って流れ、電流センサ装置３で測定される。変調サイクルの第２時間区分［ｔ１，ｔ２］においては、切換装置２５ａは開かれたままであり、切換装置２６ａは閉じられたままであり、第１時間区分［０，ｔ１］では閉じられていた高電圧側回路２０の切換装置２１，２４は再び開かれる。トランスフォーマ２の高電圧側のコイルはもはや短絡されておらず、エネルギーは高電圧側の直流電圧源に供給され、高電圧側の電流が誘導され、同時に低電圧側に印加された直流電圧５が高電圧側の直流電圧１に変換される。第３時間区分［ｔ２，ｔ３］においては、切換装置２５ａが開かれ、切換装置２６ａが閉じられる。同時に、対角線上に配置された切換装置の第２の降圧側ペアにおける２つの切換装置２２，２３のいずれかが閉じられる。第１時間区分［ｔ０，ｔ１］の場合と同様に、トランスフォーマ２の高電圧側のコイルが短絡され、高電圧側の直流電圧が生じることなしに、電流が高電圧側のコイルおよび電流センサ装置３を通って流れる。第４時間区分［ｔ３，ｔ４］においては、これまで閉じられていた高電圧側の切換装置２２，２３が再び開かれ、低電圧側の切換装置２５ａ，２６ａは状態を保持する。
【００２６】
この場合、高電圧側の切換装置のいずれがそれぞれ第１時間区分［０，ｔ１］もしくは第３時間区分［ｔ２，ｔ３］において閉じられるかは任意である。例えば、第１時間区分において切換装置２１または切換装置２４を閉じてもよい。方法の一実施形態では、連続する変調サイクルにおいて両方の切換装置２１，２４が交互に接続される。このことは、スイッチ毎の損失を減じることができ、スイッチの寿命を高めることができるという利点を有する。
【００２７】
プッシュプル型コンバータ１０における本発明による方法の使用が図１に例示的に示されている。さらに図２ｂに示した方法の実施形態も例示的なものである。この方法は、特にプッシュプル型コンバータ１０の他の実施形態においても使用することもできる。例えば、プッシュプル型コンバータ１０の一実施形態では、ダイオード４１は使用されず、トランジスタ３１が同期整流器として制御される。図１のトランジスタの技術的な構成は詳細に特定されていない。原則的には、ＭＯＳＦＥＴ（金属酸化膜半導体電界効果トランジスタ）、ＩＧＢＴ（絶縁ゲートバイポーラトランジスタ）、ＪＦＥＴ（接合型電界効果トランジスタ）、および／またはＢＪＴ（バイポーラトランジスタ）として構成することが想定されているが、もちろん半導体スイッチのために適した他の技術を使用することもできる。
【００２８】
図３は、他の例示的な双方向プッシュプル型コンバータの概略図を示す。
【００２９】
原則的には、図３に示したプッシュプル型コンバータ１０の作動方式は、図１に示したものと同様である。しかしながら、図１のプッシュプル型コンバータ１０とは異なり、図３に示したプッシュプル型コンバータでは低電圧側回路２９もフルブリッジ回路として実現されている。この低電圧側回路２９は切換装置２５ａ，２６ａ，２５ｂ，２６ｂおよびチョーク４からなる。全ての切換装置は、それぞれトランジスタ３１およびダイオード４１からなる。高電圧側回路２０では直流電圧１が印加可能もしくは測定可能であり、低電圧側では、対応して直流電圧５が印加可能もしくは測定可能である。降圧コンバータモードでは低電圧側回路のダイオード４１が、昇圧コンバータモードでは高電圧側回路のダイオード４１が、それぞれブリッジ整流器として用いられる。昇圧コンバータモードでは、降圧コンバータモードの場合と同様に、プッシュプル型コンバータがそれぞれフルブリッジ制御によって作動される。しかしながら、昇圧コンバータモードでは、高電圧側回路２０のトランジスタ３１もトランスフォーマ２の高電圧側コイルを短絡させるために使用される。
【００３０】
図４は、本発明の別の実施形態による双方向のプッシュプル型コンバータの昇圧コンバータモードを変調する方法における制御信号の経時変化線図を示す。
【００３１】
図４には、図３に示したプッシュプル型コンバータを昇圧コンバータとして利用できる方法が例示的に示されている。原則的には、方法は図２ｂに示した方法と極めて類似しているが、低電圧側回路２９がフルブリッジに対応して制御されることが相違している。したがって、変調サイクルの時間区分において、対角線上に配置された低電圧側回路２９の切換装置は閉じられるか、もしくは開かれる。例えば、変調サイクルの第１時間区分［０，ｔ１］においては、切換装置２６ａおよび２５ｂは閉じられており、切換装置２５ａ，２６ｂは開かれたままである。図２ｂに示した方法の場合と同様に、第１時間区分［０，ｔ１］では切換装置２１または２４は閉じられ、第２時間区分では再び開かれる。本発明のこの実施例においても、高電圧側では常に電流が電流センサ装置３を通って流れ、低電圧側の付加的な電流センサ装置が不可欠ではなくなる。
【図１】
2017509306.tif 000003
【図２ａ】
2017509306.tif 000004
【図２ｂ】
2017509306.tif 000005
【図３】
2017509306.tif 000006
【図４】
2017509306.tif 000007
【国際調査報告】
2017509306.tif 000008
2017509306.tif 000009
2017509306.tif 000010
2017509306.tif 000011
2017509306.tif 000012
2017509306.tif 000013